(57)【要約】【課題】未使用品目ボタンを消灯状態に保持でき、各品目ボタンに対する品目ラベルの取り付け、取り外し作業を簡単かつ効率良く行うことのできる券売機を提案すること。【解決手段】金銭が投入されて品目ボタン５が操作されると、当該品目ボタン５に割り当てられている品目名、金額などの所定情報が印刷された品目チケット７を発行する券売機１において、品目ボタン５が配列された操作パネル６の背面部分に、開閉可能な状態で、各品目ボタン５を照明する発光ダイオードランプ５２ａ、５２ｂが配列されたバックライト用パネル５０が取り付けられており、各品目ボタン５を個別に点灯および消灯状態に保持できる。バックライト用パネル５０を開けると、品目ラベル８を操作パネル６の背面側から各品目ボタン５に着脱できる。【選択図】図４
2006139355.tif 000002
【特許請求の範囲】
【請求項１】
金銭が投入されて品目ボタンが操作されると、当該品目ボタンに割り当てられている品目名、金額などの所定情報が印刷された券を発行する券売機において、
前記品目ボタンが配列された操作パネルと、
前記操作パネルの背面に対向配置されたバックライト用パネルとを有し、
前記バックライト用パネルは、各品目ボタンに対峙する位置にそれぞれ配列された発光ダイオードランプを備えていることを特徴とする券売機。
【請求項２】
請求項１において、
前記発光ダイオードランプを選択的に消灯状態あるいは点灯状態に設定するための設定手段を有していることを特徴とする券売機。
【請求項３】
請求項１または２において、
前記操作パネルの背面側から各品目ボタンにおける品目表示部の部位に、品目ラベルを着脱可能な状態で装着することができるようになっており、
前記バックライト用パネルは、前記操作パネルに対して開閉可能に取り付けられていることを特徴とする券売機。
【請求項４】
請求項１、２または３において、
前記操作パネルの背面には各品目ボタンを照明する各発光ダイオードランプの光が隣接する品目ボタンの側に漏れることを防止するための遮光壁が形成されていることを特徴とする券売機。
【発明の詳細な説明】
【技術分野】
【０００１】
本発明は、入金後に操作パネルに配列されている複数の品目ボタンの一つが操作されると、それに対応する食券などの券を発行する券売機に関し、特に、品目ボタンのバックライト部分の改良に関するものである。
【背景技術】
【０００２】
食券などの品目チケットの券売機には、一般に、その前面の操作パネルに複数の品目選択用の品目ボタンが配列されており、各品目ボタンには、品目および金額が印刷された品目ラベルが貼り付けあるいは装着されている。券購入者は、紙幣あるいは硬貨を投入して、希望する品目ラベルが付されている品目ボタンを操作することにより、品目チケットを購入することができる。このような券売機は例えば下記の特許文献１に開示されている。
【０００３】
ここで、各品目ボタンの品目ラベルに印刷されている品目および金額を視認し易くするために、操作パネルの背面側にはバックライトが配置されている。バックライトとしては、操作パネルに配列された品目ボタンを背面側から同時に照明する蛍光灯などが用いられている。
【特許文献１】特開平１０−１４３６８５号公報
【発明の開示】
【発明が解決しようとする課題】
【０００４】
従来の券売機では、未使用あるいは不使用の品目ボタンがある場合でも、それがバックライトにより照明された状態になってしまう。未使用の品目ボタンの品目表示部には品目ラベルが取り付けられておらず、このような部分が空白のままバックライトにより照明されると外観品位が極めて悪いという問題点がある。
【０００５】
また、各品目ボタンに対して品目ラベルを交換可能な状態で取り付ける場合に、操作パネルの背面側から品目ラベルを取り付ける作業、あるいは取り外す作業においては、バックライトを操作パネル背面から取り外して行う必要がある。よって、バックライトが邪魔になって品目ラベルの取り付け、交換作業が簡単にできない場合がある。
【０００６】
本発明の課題は、このような点に鑑みて、未使用の品目ボタンにはバックライトが当らないようにでき、また、各品目ボタンに対する品目ラベルの取り付け、取り外し作業をバックライトに邪魔されることなく簡単かつ効率良く行うことのできる券売機を提案することにある。
【課題を解決するための手段】
【０００７】
上記の課題を解決するために、本発明は、金銭が投入されて品目ボタンが操作されると、当該品目ボタンに割り当てられている品目名、金額などの所定情報が印刷された券を発行する券売機において、前記品目ボタンが配列された操作パネルと、前記操作パネルの背面に対向配置されたバックライト用パネルとを有し、前記バックライト用パネルは、各品目ボタンに対峙する位置にそれぞれ配列された発光ダイオードランプを備えていることを特徴としている。
【０００８】
本発明の券売機では、各品目ボタンにそれぞれバックライト用の発光ダイオードランプが割り当てられている。したがって、各発光ダイオードランプを個別に制御することにより、照明が不要な品目ボタンの発光ダイオードランプを点灯しないように設定することができる。例えば、前記発光ダイオードランプを選択的に消灯状態あるいは点灯状態に設定するための設定手段を設けておくことにより、使用者は、未使用の品目ボタンを消灯状態に保持できる。
【０００９】
ここで、前記操作パネルの背面側から各品目ボタンにおける品目表示部の部位に、品目ラベルを着脱可能な状態で装着することができる場合には、前記バックライト用パネルは、前記操作パネルに対して開閉可能に取り付けられていることが望ましい。バックライト用パネルを開けるという簡単な操作により、操作パネルの背面側から各品目ボタンの品目表示部の部位にアクセスできるので、品目ラベルの取り付け、取り外し作業を簡単に行うことが可能になる。
【００１０】
また、選択的に品目ボタンを照明することができるので、前記操作パネルの背面には各品目ボタンを照明する各発光ダイオードランプの光が隣接する品目ボタンの側に漏れることを防止するための遮光壁を形成しておくことが望ましい。
【発明の効果】
【００１１】
本発明の券売機においては、各品目ボタンを各発光ダイオードランプにより個別に照明可能である。したがって、未使用の品目ボタンのみを消灯状態に保持することができ、従来のように品目ボタンが共通のバックライトによって照明されている場合のように、空白の未使用の品目ボタンが点灯状態のまま放置されることがない。
【００１２】
また、操作パネルに対してバックライト用パネルを開閉可能に取り付けた場合には、バックライト用パネルを開けるという簡単な作業により、バックライトに邪魔されることなく操作パネルの背面側から品目ボタンの品目表示部にアクセスできるので、品目ラベルの取り付け、取り外し作業が簡単になるという効果も得られる。
【発明を実施するための最良の形態】
【００１３】
以下に、図面を参照して本発明を適用した食券の券売機の一例を説明する。
【００１４】
（全体構成）
図１(ａ)は本例の券売機を示す外観斜視図である。この図に示すように、券売機１は、縦長の直方体形状の筐体２を備え、その前面が一方の側端を中心として開閉可能な前面扉３とされており、その後面も一方の側端を中心として開閉可能な裏面扉４とされている。前面扉３の前面部分は、縦横に長方形の品目ボタン５が３０個配列された操作パネル６となっている。各品目ボタン５を押すと、品目ボタン５に割り当てられている品目を購入するための品目チケット７が発行される。
【００１５】
操作パネル６における上側の部位には、紙幣挿入口８、磁気カードの挿入口９、硬貨投入口１０、返却レバー１１、および金額表示部１２が配置されている。また、操作パネル６における下側の部位には、品目チケット７および釣銭の受取口１３および釣銭払い出し用のおつり／精算ボタン１４が配置されている。
【００１６】
図１(ｂ)に示すように、各品目ボタン５は、わずかに横長の長方形状をしており、その上半部分が品目ラベル表示部５ａであり、その下半部分はボタン本体５ｂである。ボタン本体５ｂは前方に僅かに突出しており、ここを押すと、品目ボタン５に割り当てられている品目選択信号が発生する。
【００１７】
品目ラベル表示部５ａは透明なプラスチック素材からなり、その裏面には、着脱可能な状態で品目ラベル８が装着されている。品目ラベル８には、当該品目ボタン５に割り当てられている品目名および金額が印刷されており、品目ラベル表示部５ａを透して、目視可能である。後述するように、操作パネル６の背面側には、各品目ボタン５の品目ラベル表示部５ａに対峙する部位に発光ダイオードランプが配列された構成のバックライト用パネルが取り付けられている。各発光ダイオードランプによって各品目ボタン５の品目ラベル８が照明されて、見易くなっている。
【００１８】
品目ボタン５のボタン本体５ｂの中央部分には、横長の長円形の表示部が形成されており、ここには、当該品目ボタン５に割り当てた品目チケットが販売可能であるか否かを表す円形の販売可能ランプの表示部５ｃと、当該品目チケットが売り切れ状態であることを表すための「売切」文字を表示するための売切れランプの表示部５ｄが配置されている。これらの表示部５ｃ、５ｄの背面側には、それぞれ、販売可能ランプおよび売切れ表示ランプが配置されている。
【００１９】
図１(ｃ)に示すように、金額表示部１２には、投入金額およびエラー状態を表示するための７セグメント表示器からなる金額表示／エラー番号表示部１２ａと、動作中であることを表示する動作中表示部１２ｂ、および販売中止中であることを表す販売中止表示部１２ｃが配置されている。また、釣銭切れを表す１００円硬貨切れ表示部１２ｄおよび１０円硬貨切れ表示部１２ｅと、紙幣の使用ができないことを表す紙幣受付禁止表示部１２ｆとが配列されている。金額表示部１２の背面には、これらの表示部１２ｂ〜１２ｆを点灯させるためのランプがそれぞれ配置されている。
【００２０】
図２(ａ)は前面扉３を開けて券売機１の内部構成を示す斜視図である。券売機１の筐体２の内部は、仕切り板２１によって左右に仕切られている。その一方の側には、上から順に、硬貨識別機２２、釣銭が収納されている複数本の収納筒を備えたカセット式の釣銭収納部２３および、投入された硬貨がカセット式釣銭収納部２３に収納しきれない時の硬貨を収納する補助コインボックス２４が取り付けられている。仕切り板２１の他方の側には、上側から順に、挿入された磁気カードを読み取るための磁気カードリーダ２５、紙幣識別機２６、内部設定ユニット２７、ロール紙ホルダ２８、プリンタ２９、および品目チケットおよび釣銭払い出し用のシュート３０が配置されている。プリンタ２９の下にはオートカッタ３１が取り付けられており、ロール紙ホルダ２８に装着されたロール紙３２から繰り出されて、プリンタ２９によって印刷された後の記録紙３２ａがここで切断されて、一定幅の品目チケット７が作成される。
【００２１】
ここで、券売機１の筐体２の背面側には、各部の動作制御を司る制御盤３３が取り付けられており、この制御盤３３にはバックアップ用メモリをリード及びライトする回路があり、カードリーダライタ３４のカードスロットには、ＩＣカードなどからなるバックアップ用のメモリカード３５が着脱可能な状態で装着されている。メモリカード３５には、券売機１の設定内容、売上げおよび動作履歴が記憶保持される。制御盤３３の保守点検、メモリカード３５の着脱操作は、裏面扉４を開けることにより行うことが可能である。
【００２２】
図２(ｂ)は内部設定ユニット２７の操作部２７ａを示す平面図である。内部設定ユニット２７は、品目ボタンに対する品目名、金額の割り当て、その更新などの各種の設定を行うためのものである。内部設定ユニット２７は前面扉３を開けて、筐体内部から引き出して操作することが可能である。また、その操作部２７ａには、液晶表示部４１、各種の動作モードを指定するためのボタン群４２、テンキー４３などが配列されている。
【００２３】
本例における動作モードを指定するためのボタン群４２には、運用ボタン４４、品目ボタン４５、機器ボタン４６および保守ボタン４７が含まれている。品目ボタン４５を押すと、品目および金額の登録、変更等を行う動作モードになり、運用ボタン４４を押すと、一日の締めと印刷、売上の印刷、売り切れの設定を行う動作モードになり、機器ボタン４６を押すと、システム設定、品目チケットに印刷される印刷情報の設定などを行う動作モードになり、保守ボタン４７を押すと、履歴表示および印刷などを行う動作モードになる。本例では、後述のように、機器ボタン４６を押して表示される「システム設定」メニューを選択すると、「品目ボタンの設定」メニューが表示される。このメニューを選択すると、動作モードが品目ボタンの設定モードに切り換わる。このモードでは、未使用の品目ボタンの位置を任意に設定でき、また、未使用の設定を解除することができる。未使用に設定された品目ボタンは消灯状態に保持される。
【００２４】
（品目ボタンのバックライト）
図３は前面扉３を示す説明図であり、図４はバックライト用パネルを開けた状態を示す説明図であり、図５は品目ラベルの装着部分の構造を示す説明図である。前面扉３は、その前面の操作パネル６と、操作パネル６の品目ボタン配列部分６０の背面側の部位に取り付けたバックライト用パネル５０とを有している。バックライト用パネル５０は、その内側の端５１を中心として開閉可能な状態で操作パネル６に取り付けられている。通常は、上下の縁部分に取り付けた固定ねじ５１、５２によって、操作パネル６の背面に固定されている。バックライト用パネル５の表面には、各品目ボタン５の品目表示部５ｂに対峙する部位に、２個ずつの発光ダイオードランプ５２ａ、５２ｂが配列された構成となっている。
【００２５】
操作パネル６における品目ボタン配列部分６０の背面には、バックライト用パネル５０とほぼ同一大きさの矩形の枠板６１が取り付けられ、この枠板６１の内部は、水平仕切り壁６２によって上下６行に区画されている。各行には５個ずつの矩形枠６３が背面側から装着された構造となっている。矩形枠６３の内部は水平仕切板６４によって上下に仕切られている。上側区画部分６５は品目ボタン５の品目表示部分５ａに対峙しており、下側の仕切り部分６６は品目ボタン５のボタン本体部分５ｂに対峙している。当該下側の仕切り部分６６には、品目ボタン５を操作することによってオンするメカニカルスイッチ、販売可能ランプ、売切ランプなどが装着される。
【００２６】
矩形枠板６３の天板部分６３ａおよび底板部分６３ｂの背面側の縁からは背面側に向けて左右一対の係合爪６７ａ、６７ｂ、６８ａ、６８ｂが突出しており、これらが背面側から操作パネル６の側の水平仕切り壁６２に係合している。また、矩形枠６３の上側区画部分６５には、背面側から品目ラベル押え板６９が着脱可能な状態で装着されている。この押え板６９と、操作パネル６における品目ボタン５の品目表示部分５ａとの間に、品目ラベル８が保持されている。
【００２７】
押え板６９は、その上端縁の左右の部位から背面側に延びている一対のタグ６９ａ、６９ｂを備えている。矩形枠板６３の天板部分６３ａの中央部分には、僅かに下方に傾斜した状態の係合爪６３ｃが形成されており、この係合爪６３ｃの先端面が押え板６９の上縁部分に背面側から当接して、当該押え板６９を装着状態に保持している。
【００２８】
品目ラベル８の着脱時には、係合爪６３ｃを上方に押し込むことにより押え板６９から外し、しかる後に、タグ６９ａ、６９ｂを持って背面側に引けば、押え板６９を外すことができる。この後に、品目ラベル８を外して、新しいものと交換するなどの作業を行うことができる。品目ラベル８を交換した後は、押え板６９を再び矩形枠板６３の上側区画部分６５に背面側から押し込む。押え板６９を押し込むと、矩形枠板側の係合爪６３ｃが上方に押されるので、押え板６９を前端まで押し込み、品目ラベル８を操作パネル６側に押し付けた状態にできる。この状態では、係合爪６３ｃが弾性復帰して、押え板６９に係合するので、押え板６９が外れることはない。
【００２９】
（制御系）
図６は券売機１の制御系を示す概略構成図である。制御盤３３はマイクロコンピュータを中心に構成され、ＣＰＵ、ＲＯＭおよびＲＡＭを備えており、ＲＯＭ内に格納されている制御プログラムを実行することにより、プリンタ２９を駆動して品目チケット７を作成する動作を行う。また、上記のように、内部設定ユニット２７からの入力に基づき、各品目ボタン５に対して品目および金額を割り当てる登録動作、割り当てられている品目および／または金額を変更する変更動作、各種の設定動作などを行う。さらに、制御盤３３はＬＥＤドライバ３６を介して、バックライト用パネル５０に配列されている各発光ダイオードランプ５２ａ、５２ｂを駆動して、各品目ボタン５の品目ラベル表示部５ａを照明する。
【００３０】
また、制御盤３３には記憶部３７が接続されており、この記憶部３７は不揮発性メモリからなり、券売機設定内容などが記憶保持されている。例えば、各品目ボタン５の番号と、品目および金額とが対応付けされた対応テーブル３７ａと、未使用品目ボタンとして設定された品目ボタンの番号テーブル３７ｂが含まれている。なお、制御盤３３は、記憶部３７に記憶保持されている券売機設定内容を、メモリカード３５に記憶保持するバックアップ動作を行うようになっている。
【００３１】
（動作説明）
発券動作においては、硬貨あるいは紙幣などが投入され、券売機１の操作面６に配列されている品目ボタン５の一つが操作されると、操作された品目ボタン５に割り当てられているボタン番号が制御盤３３に入力される。制御盤３３は、紙幣識別機２６、硬貨識別機２２あるいはカードリーダ２５から必要額の入金があったことを確認すると、ボタン番号から対応テーブル３７ａを検索して、操作された品目ボタン５に割り当てられている品目および金額情報を検索出力する。そして、プリンタ２９を駆動して、品目および金額を搬送される記録紙３２ａに印刷し、オートカッタ３１を駆動して印刷後の記録紙部分を幅方向に切断して、品目チケット７を作成する。作成された品目チケット７は受取口１３から購入者に発行される。
【００３２】
また、本例では、未使用品目ボタンが設定されている場合には、未使用品目ボタンにバックライトを当てずに消灯状態に保持するようにしている。すなわち、未使用品目ボタンの番号テーブル３７ｂにボタン番号が登録されている場合には、制御盤３３は、登録されている品目ボタン５を照明する発光ダイオードランプ５２ａ、５２ｂを消灯状態に保持する。よって、品目が表示されない空白状態の品目ランプ５を点灯させないことができる。未使用品目ボタンの登録は例えば次のようにして行われる。
【００３３】
図７の操作説明図を参照して説明すると、まず、前面扉３を開けて内部設定ユニット２７を引き出す(ステップＳＴ１)。この状態では、内部設定ユニット２７の表示画面には日時が表示されている。この状態において、内部設定ユニット２７の機器ボタンを押すと(ステップＳＴ２)、動作モードがシステム設定モードに切り換わり、内部設定ユニット２７の表示部の画面が図のように切り替わる(ステップＳＴ３)。数字キー「１」を押して、「システム設定」メニューを選択すると、オプション設定画面に切り換わる(ステップＳＴ４)。数字キー「３」を押して、この画面に表示されている「品目ボタンの設定」メニューを選択すると、未使用品目ボタンの設定画面に切り換わり、画面上には、「使用状態を変更する品目ボタンを押してください・・・」のメッセージが表示される(ステップＳＴ５)。この後は、内部設定ユニット２７を収納して、前面扉３を閉じる(ステップＳＴ６)。この結果、未使用品目ボタンの設定が可能な状態になる。
【００３４】
この状態において、未使用にしたい品目ボタン５を押すと(ステップＳＴ７)、押された品目ボタン５のバックライトである発光ダイオードランプが消灯状態に切り換わる。未使用にしたい品目ボタン５が複数ある場合には、当該品目ボタン５を押す操作を繰り返し行う。未使用に設定した品目ボタン５の設定を解除するためには、当該品目ボタン５を再度押せば、設定が解除される。未使用品目ボタンの設定を終了するには、返却レバーを回す操作を行えば、リセットされた通常の動作状態に復帰する(ステップＳＴ８)。
【００３５】
以上説明したように、本例の券売機１においては、各品目ボタン５を個別に照明するためのバックライト用の発光ダイオードランプ５２ａ、５２ｂを備えている。したがって、未使用品目ボタンが点灯しないように設定することができる。また、任意の位置の品目ランプ５を未使用品目ランプに設定することができる。
【００３６】
また、発光ダイオードランプ５２ａ、５２ｂが配列されているバックライト用パネル５０を、操作パネル６に対して開閉可能としてあり、また、操作パネル６の背面側から各品目ボタン５に対する品目ラベル８の取り付け、取り外しを、押え板６９の着脱操作によって行うことができるようになっている。よって、品目ラベル８の取り付け、取り外しを、簡単に行うことができる。
【図面の簡単な説明】
【００３７】
【図１】本発明を適用した券売機の一例を示す外観斜視図、品目ボタンの説明図、および金額表示部の説明図である。
【図２】図１の券売機の内部を示す斜視図、内部設定ユニットの操作面の説明図である。
【図３】図１の券売機の前面扉の背面側を示す説明図である。
【図４】図３の前面扉のバックライト用パネルを開けた状態を示す説明図である。
【図５】品目ラベルの装着部分の構成を示す説明図である。
【図６】図１の券売機の制御系を示す概略構成図である。
【図７】図１の券売機における未使用品目ボタンの設定動作を示す説明図である。
【符号の説明】
【００３８】
１  券売機
２  筐体
３  前面扉
５  品目ボタン
５ａ  品目ラベル表示部
５ｂ  ボタン本体部
６  操作パネル
７  品目チケット
８  品目ラベル
１２  金額表示部
２２  硬貨識別機
２３  釣銭収納部
２４  コインボックス
２６  紙幣識別機
２７  内部設定ユニット
２９  プリンタ
３１  オートカッタ
３３  制御盤
３６  ＬＥＤドライバ
３７  記憶部
３７ａ  対応テーブル
３７ｂ  未使用品目ボタンの番号テーブル
５０  バックライト用パネル
６３  矩形枠板
６９  押え板
【図１】
2006139355.tif 000003
【図２】
2006139355.tif 000004
【図３】
2006139355.tif 000005
【図４】
2006139355.tif 000006
【図５】
2006139355.tif 000007
【図６】
2006139355.tif 000008
【図７】
2006139355.tif 000009